(57)【要約】【課題】本発明は、カメラを三脚台に装着させるためのクイックシューに関するものであり、カメラと直接的に連結される三脚台の装着時間がたくさん必要となって使用時ごとに脱着しなければならない。これによりカメラ下端に雄クイックシューを常時装着して、三脚台のヘッドに雌クイックシューを形成して、クイックシューが三脚台にワンタッチで容易に脱着できる方式が用いられる。しかしながら雄クイックシューと雌クイックシューとの結合が堅固ではない場合、撮影中に揺れが発生して、カメラに装着される雄クイックシューが撮影してもピントがぶれてしまう。またカメラ本体に縦グリップを装着して縦写真を撮影する場合には、そのぶれの程度がひどく撮影により多くの差し支えをもたらす問題があるものである。【解決手段】このような問題点を解決するために本発明は、雄クイックシューと雌クイックシューとの結合構造を改善して、雄クイックシューが薄い厚さでなされた状態でも雌クイックシューと緊密に結合される構造を有するようにして、このような雄クイックシューの厚さがスリム化されることによって使用者がカメラを把持する時グリップ感を向上させながら撮影条件を改善して、カメラと三脚台が緊密に固定されて撮影時に揺れることを最小化することができるようにしたものである。【選択図】図１
2012507740.tif 000002
【特許請求の範囲】
【請求項１】
カメラ１００と三脚台２００との装着のために三脚台２００のヘッド２１０に結合される雌クイックシューと、前記カメラ１００の下端に雄クイックシューが結合された状態で雌クイックシューに収納される構造を有しながらカメラがワンタッチで脱着可能な構造を有するようになるカメラ三脚台用クイックシューにおいて、
前記雄クイックシュー１０は、板状でなされた中央部に内入部１１が形成されて、その内入部１１に貫通ホール１２が形成されて、カメラ１００の固定のための絞り手段１３が挿入されて、前記絞り手段１３が装着される両側で装着ホール１４が形成されて、前記装着ホール１４の内面にお互いに対称されるように装着傾斜面１５が形成されて、前記雌クイックシュー２０の上部には装着ホール１４の装着傾斜面１５と同一な角度の装着傾斜面２５を有する加圧突起２４が形成されて、装着ホール１４に差し込まれた状態で雌クイックシュー２０の作動レバー２１を締めまたは解除することによって、それぞれの装着傾斜面１５、２５が加圧されながら雄クイックシュー１０が脱着される構造でなされたことを特徴とするカメラ三脚台用クイックシュー。
【請求項２】
前記雄クイックシュー１０は、貫通ホール１２が長孔でなされて、カメラを前、後方に移動可能になるようになって、カメラの結合位置を調節することができるし、カメラに密着される面に密着板１６が付着されて、雄クイックシュー１０がカメラ１００に緊密に固定された状態でカメラの任意的な方向転換を防止できるようにしたことを特徴とする請求項１に記載のカメラ三脚台のクイックシュー。
【請求項３】
前記雄クイックシューの両側には、サイドホール１７が形成されて、カメラまたは三脚台と紐で固定して、紛失防止できるようになることを特徴とする請求項１に記載のカメラ三脚台のクイックシュー。
【発明の詳細な説明】
【技術分野】
【０００１】
本発明は、カメラを三脚台に装着させるためのクイックシューに関するものであり、特に、カメラの下端に固定される雄クイックシューの内側で三脚台ヘッド部の雌クイックシューに装着するための装着傾斜面が形成されてカメラと三脚台の固定力を強化して、撮影時にカメラと三脚台との間に微細な振動も発生しないように精密に固定されるカメラ三脚台用クイックシューに関するものである。
【背景技術】
【０００２】
従来のカメラの三脚台は、三脚台のヘッド部にカメラの装着のための手段が一体で形成されて、カメラを三脚台に直接装着することで、装着部に形成された絞りボルトなどによって結合する方式で使用されて来たが、堅固な装着のためには使用者がボルトの絞りのための道具をいつも携帯するか、または三脚台ヘッドの絞りボルトに別途の堅固な装着のための手段が具備されなければならないものであったし、カメラを三脚台に装着する度に絞りナットを利用して装着をしなければならないので、装着時間が長期間必要になるという問題点があるものであり、瞬間捕捉などの緊急な撮影において、カメラと三脚台の迅速な結合が不可能であって使用において多くの制約が伴うものであった。
したがって、近年カメラ下端に雄クイックシューを常時装着して、三脚台のヘッドに雌クイックシューを装着して、前記雄クイックシューを利用してカメラを三脚台にワンタッチで易しく脱着することができるものがある。しかし三脚台に装着しない状態で撮影をする場合、雄クイックシューの構造が下端に突出されることによって、カメラのグリップ感が落ち撮影時に継続的に雄クイックシューが手でぶれるため撮影に差し支える。
また、カメラには縦写真撮影が容易でありながらバッテリーの寿命を延長させるために縦グリップを装着して使用するが、この場合縦写真を撮影するためにカメラの下端部を取る時縦グリップの下端に雄クイックシューが装着されていればカメラのグリップ感が著しく落ち、グリップ感の向上が目的である縦グリップを装着した効果が感じられないという問題が出てくる。
また、雄クイックシューの構造は２段でなされながら上部にはカメラに装着するためのプレートとこのプレートの下端には突出される結合部が形成され、前記下端に突出された結合部が三脚台ヘッドの雌クイックシューに固定される構造は、カメラと三脚台との間に離隔幅が広くなるので、カメラと三脚台との固定力低下が発生して写真撮影時に微細な動きが発生するようになって、写真がぶれ、結果として撮影写真に悪影響を与える。
このようにカメラが振動されることはいくら微細な振動と言っても秒単位の時間を活用する写真撮影の特性上非常に深刻なものであって、特に、遠距離撮影時には三脚台に装着されたカメラの位置が微細に変更される場合被写体に行っては結局撮影者が最初に意図した構図からかなりずれてしまい、撮影結果物に深刻な影響を及ぼす。
また、縦写真を撮影するために三脚台に固定されたカメラを横に直立させる場合、その振動の程度がひどくなり少々の環境変化にも振動の発生する問題があるものである。
【発明の概要】
【発明が解決しようとする課題】
【０００３】
本発明は、前記した従来の問題点を解決するために案出したものであり、カメラと三脚台を固定するために雄クイックシューと雌クイックシューでなされるクイックシューが簡単な構造でなされながらも三脚台に緊密に固定される構造を有するようにして、前記雄クイックシューの厚さを最小化してグリップ感を高めてカメラと三脚台の密着力を高めてカメラが揺れることを最小化することができるカメラ三脚台用クイックシューに関するものである。
【課題を解決するための手段】
【０００４】
前記の目的を達成するために本発明は、雄クイックシューの構造が板状でなされたプレートにカメラ固定手段と雌クイックシューの固定のための手段が一体で形成されるようにしたものであり、雄クイックシューの中央部にはカメラの固定のための絞り手段が形成されて、その両側で雌クイックシューに固定するようにするための装着傾斜面がプレートの内部に収容される構造を有するようにして、前記装着傾斜面が形成されたプレートの外側面が雌クイックシューの上面に密着されながら２重で固定される構造を有して、雄クイックシューの厚さがプレートだけでなされることでカメラと三脚台の密着力を強化して揺れることを最小化できるようにしたものである。
【発明の効果】
【０００５】
前述したところのように本発明は、プレートの構造が簡単な構造でなされて薄い厚さでなされるようにすることで雄クイックシューがカメラに装着された状態でもカメラのグリップ感を高めて、三脚台に装着されるカメラの固定力を強化させて、カメラが揺れることを防止して撮影条件を改善できるようにしたものである。
【図面の簡単な説明】
【０００６】
【図１】本発明の一実施例を示した斜視図である。
【図２】図１の装着された状態の断面図である。
【図３】本発明の雄クイックシューの裏面斜視図である。
【図４】本発明の雄クイックシューの断面図である。
【図５】本発明の雄クイックシューがカメラに装着された状態の底面斜視図である。
【図６】本発明の雄クイックシューが雌クイックシューに結合された状態の斜視図である。
【図７】本発明のクイックシューの装着状態を示した分解断面図である。
【発明を実施するための形態】
【０００７】
本発明では、カメラ１００と三脚台２００の装着のために三脚台２００のヘッド２１０に結合される雌クイックシューと、前記カメラ１００の下端に雄クイックシューが結合された状態で雌クイックシューに収納される構造を有しながらカメラがワンタッチで脱着可能な構造を有するようになるカメラ三脚台用クイックシューにおいて、
前記雄クイックシュー１０は、板状でなされた中央部に内入部１１が形成されて、その内入部１１に貫通ホール１２が形成されカメラ１００の固定のための絞り手段１３が挿入されて、前記絞り手段１３が装着される両側に装着ホール１４が形成されて、前記装着ホール１４の内面にお互いに対称されるように装着傾斜面１５が形成されて、前記雌クイックシュー２０の上部には装着ホール１４の装着傾斜面１５と同一な角度の装着傾斜面２５を有する加圧突起２４が形成され、装着ホール１４に差し込まれた状態で雌クイックシュー２０の作動レバー２１を締めまたは解除することによってそれぞれの装着傾斜面１５、２５が加圧されながら雄クイックシュー１０が脱着される構造でなされたことを特徴とするものである。
以下、本発明による望ましい実施例を添付した図面を参照して説明すれば次のようである。下記の添付図面では同一な構成要素に対しては同一な参照番号を使用した。
図１に示されたところのように本発明は、カメラ１００を三脚台２００に装着するためのクイックシューが雄クイックシュー１０と雌クイックシュー２０でなされて、前記雄クイックシューはカメラ１００の下端に固定されて前記雌クイックシュー２０は三脚台２００のヘッド２１０に固定された状態で前記雄クイックシュー１０を雌クイックシュー２０に脱着することができる構造でなされたものである。
この時、前記雄クイックシュー１０は、その形態が板状でなされるようにしながらその中央部に内入部１１と貫通ホール１２が形成されて、前記貫通ホール１２に絞り手段１３が挿入された状態でカメラ１００下端の結合孔にねじ絞りする。
また、前記絞り手段１３の両側には雄クイックシュー１０の本体に内蔵されて所定の長さを有するように装着ホール１４が形成され、三脚台２００のヘッド２１０に結合された雌クイックシュー２０の加圧突起２４によって装着される構造を有するものである。
この時、前記雌クイックシュー２０は、固定台２１と作動台２２でなされ、作動レバー２３を操作することによって加圧突起２４の間隔が減るか、または離れるようになる構造でなされ、前記雄クイックシュー１０の装着ホール１４と雌クイックシュー２０の加圧突起２４に対称されるように一定な角度で装着傾斜面１５、２５を形成すれば、雌クイックシューの作動台２２がスライドで移動されることによって雄クイックシュー１０と雌クイックシュー２０が密着固定されるか、または解除されるものである。
このように板状でなされた雄クイックシュー１０にカメラ１００に固定するための絞り手段１３と雌クイックシュー２０に固定するための装着ホール１４が一体でなされるようになって、雄クイックシュー１０の厚さがスリムするようになされるものであり、カメラ１００に雄クイックシュー１０を装着した状態でも写真撮影中に雄クイックシュー１０がぶれないためグリップ感を最高の状態で維持できるようになる。
また、雄クイックシュー１０と雌クイックシュー２０が装着傾斜面１５によって１次的に固定された後、装着ホール１４の外側に形成された下敷部１８が雌クイックシューの２０の上面に密着されながら２次的に固定されながらクイックシューの固定構造が２重に支持されて、カメラ１００と三脚台２００の固定力がより強化されるものであり、前記下敷部１８間の間隔が広く位置されるので、雄クイックシュー１０と雌クイックシュー２０がより安定的に固定されるものである。
一方、前記雄クイックシュー１０の貫通ホール１２が所定の長さを有するように長孔でなされるようにすれば、カメラ１００に雄クイックシュー１０を装着する時、前、後方で一定部分程度移動するようになって、適正な位置調節が可能になる。
また、前記カメラ１００と密着される雄クイックシュー１０の一面に密着板１６を形成すれば、カメラ１００と雄クイックシュー１０の密着力を高めてカメラ１００が三脚台２００に装着された状態で任意に回転することを防止し、このような密着板１６は摩擦力が高いゴム板で形成するか、または複数の凹凸面を形成することでカメラ１００との固定力を強化させることができる。
また、前記雄クイックシュー１０の両側では紐を縛って固定できるようにサイドホール１７が形成されて、カメラ１００または三脚台２００の一側に紐で連結した状態で雄クイックシュー１００の紛失を防止できる。
【産業上の利用可能性】
【０００８】
以上説明したように本発明は、カメラと三脚台を固定するために雄クイックシューと雌クイックシューでなされるクイックシューが簡単な構造でなされながらも三脚台に緊密に固定される構造を有するようにしたものであり、前記雄クイックシューの厚さを最小化して、グリップ感を高めてカメラと三脚台の密着力を高めてカメラの揺れを最小化したものである。
【図１】
2012507740.tif 000003
【図２】
2012507740.tif 000004
【図３】
2012507740.tif 000005
【図４】
2012507740.tif 000006
【図５】
2012507740.tif 000007
【図６】
2012507740.tif 000008
【図７】
2012507740.tif 000009
【国際調査報告】
2012507740.tif 000010
2012507740.tif 000011
2012507740.tif 000012
2012507740.tif 000013